(57)【特許請求の範囲】
【請求項１】
中空円筒状の導電材料から成り一端に半径方向外側に突出したフランジ部を有する外側端子と、前記外側端子に対して電気的に絶縁され且つ外側端子の中心軸付近に配設されていて、フランジ部を越えて延びている導電部材から成る内側端子と、
前記フランジ部の外側面に形成され、実装の際にケースの取付孔に挿入され固定される小判状の係合部と、を含んでいる、コネクタにおいて、
前記フランジ部は、円板の直径方向反対側に切欠を備えることによりほぼ小判形に形成され、
前記係合部は、前記ケースの取付孔内にカシメ固定され、
前記切欠は、前記ケースの外側面の取付孔周辺に設けられた前記ケースの裏面からの半抜き加工によって形成された突起部に当接することを特徴とするコネクタ。
【請求項２】
上記フランジ部の切欠が、切欠凹部であることを特徴とする、請求項１に記載のコネクタ。
【請求項３】
上記フランジ部の切欠凹部が、実装の際にケース等の取付孔の周辺に設けられた突起部を係合保持することを特徴とする、請求項２に記載のコネクタ。
【請求項４】
上記フランジ部が、円板の直径方向反対側に設けた上記切欠とは別に切欠凹部を備えていることを特徴とする、請求項２又は３に記載のコネクタ。
【発明の詳細な説明】
【０００１】
【発明の属する技術分野】
本発明は、例えばＦ型，ＤＩＮコネクタ等のコネクタに関し、特にケース等への取付構造に関するものである。
【０００２】
【従来の技術】
従来、Ｆ型コネクタは、例えば図６乃至図９に示すように、構成されている。
即ち、図６乃至図９において、Ｆ型コネクタ１は、中空円筒状の導電材料から成り一端に半径方向外側に突出したフランジ部２を有する外側端子３と、上記外側端子に対して電気的に絶縁され且つ外側端子の中心軸付近に配設されている導電材料から成る内側端子４と、上記フランジ部２の外側面に形成され、実装の際にケース等の取付孔の周縁によりカシメ固定される小判状の係合部５と、から構成されている。
【０００３】
上記フランジ部２は、例えばケース６に実装する際に、ケース６の外側面に当接することにより、ケース６に設けられた取付孔６ａを覆うように形成されている。図中、６ｂはケース６の上蓋、６ｃは下蓋、６ｄは回路基板である。
ここで、上記取付孔６ａは、その寸法が後述する小判状の係合部５より僅かに大きく選定されている。
【０００４】
上記外側端子３は、図示の場合、その外周面にネジ山を備えており、Ｆ型プラグが螺合されることにより、プラグに対して電気的に接続され得るように構成されている。
また、上記内側端子４は、Ｆ型プラグが外側端子３に螺合されたとき、このＦ型プラグから軸方向に突出する内側端子が、この内側端子４内に嵌入して、電気的に接続され得るように、軸方向に沿って中空に形成されていると共に、その一端がフランジ部２を越えて軸方向に延びている。
【０００５】
さらに、上記係合部５は、ケース６への実装の際に、ケース６に設けられた取付孔６ａ内に挿入され、図６および９にて符号Ａで示すように取付孔６ａの周縁の複数箇所（図示の場合、６箇所）でカシメ固定されることにより、取付孔６ａ内に固定保持されると共に、係合部５がこの取付孔６ａに対して形状的に係合することにより、Ｆ型コネクタ１がケース６に対して回転しないようになっている。
【０００６】
このような構成のＦ型コネクタ１によれば、ケース６に実装する場合、Ｆ型コネクタ１の係合部５が、ケース６の取付孔６ａ内に挿入され、図６および図９にて符号Ａで示すように、この取付孔６ａの周縁の複数箇所にて、カシメ固定される。これにより、Ｆ型コネクタ１は、上述したカシメ固定により、その係合部５がケース６の取付孔６ａ内に固定保持されると共に、回転方向に関しては、その係合部５がケース６の取付孔６ａ内に形状的に係合することによって、回転が阻止され得るようになっている。
【０００７】
【発明が解決しようとする課題】
しかしながら、このような構成のコネクタ１においては、Ｆ型コネクタ１の回転止めは、係合部５の形状的な係合のみによって行なわれているため、その強度が比較的弱い。このため、Ｆ型コネクタ１が強い回転力を受けた場合、係合部５がケース６の取付孔６ａの周縁を変形させながら、回転してしまうことがあるという問題があった。
【０００８】
本発明は、以上の点に鑑み、回転に対する強度が向上するようにした、コネクタを提供することを目的としている。
【０００９】
【課題を解決するための手段】
上記目的は、本発明によれば、中空円筒状の導電材料から成り一端に半径方向外側に突出したフランジ部を有する外側端子と、前記外側端子に対して電気的に絶縁され且つ外側端子の中心軸付近に配設されていて、フランジ部を越えて延びている導電部材から成る内側端子と、前記フランジ部の外側面に形成され、実装の際にケースの取付孔に挿入され固定される小判状の係合部と、を含んでいる、コネクタにおいて、前記フランジ部は、円板の直径方向反対側に切欠を備えることによりほぼ小判形に形成され、前記係合部は、前記ケースの取付孔内にカシメ固定され、前記切欠は、前記ケースの外側面の取付孔周辺に設けられた前記ケースの裏面からの半抜き加工によって形成された突起部に当接することを特徴とする、コネクタにより、達成される。
【００１０】
本発明によるコネクタは、好ましくは、上記フランジ部が、円板の直径方向反対側に切欠または切欠凹部を備え、円板状に形成され、好ましくは、ほぼ小判形に形成されている。
【００１１】
本発明によるコネクタは、好ましくは、上記フランジ部の切欠が、実装の際にケース等の取付孔の周辺に設けられた突起部に当接、または切欠凹部が、実装の際にケース等の取付孔の周辺に設けられた突起部を係合保持する。
【００１２】
上記構成によれば、実装すべきケース等に設けられた取付孔に係合部が挿入され、カシメ等により固定されることにより、本コネクタがケース等に対して固定保持されると共に、フランジ部がケース等の表面に当接して、上記取付孔の周囲を覆うことになる。
その際、フランジ部は、その一部に設けられた切欠に対して、ケース等の取付孔の周辺に設けられた突起部が当接、または切欠凹部が、突起部を係合保持するすることになる。これにより、フランジ部は、その切欠内に突起部が係合することにより、回転止めとして作用することになる。
これにより、本コネクタは、その係合部がケース等の取付孔内に形状的に係合することにより、且つフランジ部の切欠または切欠凹部がケース等の取付孔の周辺に設けられた突起部と係合、または突起部を係合保持することにより、ケース等に対して回転しないように固定保持されることになる。
特に、フランジ部の切欠と切欠凹部がケース等の取付孔の周辺に設けられた突起部と係合し、その上突起部を係合保持するように併設した構成の場合には、ケース等に対して回転しないように更に一層固定保持されることになる。
従って、本コネクタは、従来の係合部の形状的な係合のみによって回転しないように保持されている構成と比較して、より強固な回転止めが実現され得ることになり、不用意に大きな回転力がコネクタに対して加えられたとしても、コネクタがケース等に対して回転してしまうようなことがない。
【００１３】
【発明の実施の形態】
以下、図面に示した実施形態に基づいて、本発明を詳細に説明する。
図１乃至図３は、本発明をＦ型コネクタに適用した場合の一実施形態の構成を示している。
図１乃至図３において、Ｆ型コネクタ１０は、中空円筒状の導電材料から成り一端に半径方向外側に突出したフランジ部１１を有する外側端子１２と、上記外側端子に対して電気的に絶縁され且つ外側端子の中心軸付近に配設されている導電材料から成る内側端子１３と、上記フランジ部１１の外側面に形成され、実装の際にケース等の取付孔の周縁によりカシメ固定される小判状の係合部１４と、から構成されている。
【００１４】
上記フランジ部１１は、例えばケース１５に実装する際に、ケース１５の外側面に当接することにより、ケース１５に設けられた取付孔１５ａを覆うように形成されている。図中、１５ｃはケース１５の上蓋、１５ｄは下蓋、１５ｅは回路基板である。
ここで、上記取付孔１５ａは、その寸法が後述する小判状の係合部１４より僅かに大きく選定されている。
【００１５】
上記外側端子１２は、図示の場合、その外周面にネジ山を備えており、Ｆ型プラグが螺合されることにより、プラグに対して電気的に接続され得るように構成されている。
また、上記内側端子１３は、Ｆ型プラグが外側端子１２に螺合されたとき、このＦ型プラグから軸方向に突出する内側端子が、この内側端子１３内に嵌入して、電気的に接続され得るように、軸方向に沿って中空に形成されていると共に、その一端がフランジ部１１を越えて軸方向に延びている。
【００１６】
さらに、上記係合部１４は、ケース１５への実装の際に、ケース１５に設けられた取付孔１５ａ内に挿入され、取付孔１５ａの周縁の複数箇所でカシメ固定されることにより、取付孔１５ａ内に固定保持されると共に、係合部１４がこの取付孔１５ａに対して形状的に係合することにより、Ｆ型コネクタ１０がケース１５に対して回転しないようになっている。
【００１７】
以上の構成は、図６乃至図９に示した従来のＦ型コネクタ１と同様の構成であるが、本発明実施形態によるＦ型コネクタ１０においては、以下の点で異なる構成になっている。
即ち、上記フランジ部１１は、その一部、図示の場合、直径方向反対側に、切欠１１ａを備えている。これにより、フランジ部１１は、係合部１４とほぼ同様の小判状に形成されている。
これに対して、ケース１５は、その取付孔１５ａの周辺にて、Ｆ型コネクタ１０の係合部１４が取付孔１５ａ内に挿入されたとき、フランジ部１１の切欠１１ａに当接する位置に、突起部１５ｂを備えている。
この突起部１５ｂは、例えばケース１５の裏面からの半抜き加工により形成される。
【００１８】
本発明実施形態によるＦ型コネクタ１０は、以上のように構成されており、組立の際には、先づ係合部１４がケース１５の前面から取付孔１５ａ内に挿入される。この状態から、係合部１４は、その周縁の複数箇所にてケース１５の取付孔１５ａの周縁によりカシメ固定される。これにより、Ｆ型コネクタ１０はケース１５に対して固定保持されることになる。
【００１９】
ここで、Ｆ型コネクタ１０は、係合部１４がケース１５の取付孔１５ａ内に形状的に係合すると共に、フランジ部１１の切欠１１ａがケース１５の突起部１５ｂに係合することにより、回転しないようになっている。
これにより、従来の係合部１４の形状的な係合のみによる回転止めに比較して、フランジ部１１の切欠１１ａによる回転止めが在ることから、回転に対する強度が向上することになり、Ｆ型コネクタ１０に対して不用意に回転力が作用したとしても、Ｆ型コネクタ１０は、確実に回転が阻止され得ることになる。
【００２０】
図４乃至図５は、本発明をＦ型コネクタに適用した場合の第二の実施形態の構成を示している。
図４乃至図５において、Ｆ型コネクタ２０は、前述したＦ型コネクタ１０に加え、フランジ部２１は、その一部、図示の場合、直径方向反対側に、切欠２１ａを備え、この切欠２１ａとは別に切欠凹部２１ｂを備えている。
これに対して、ケース２５は、前述の第一の実施形態と同様に、その取付孔２５ａの周辺にて、Ｆ型コネクタ２０の係合部２４が取付孔２５ａ内に挿入されたとき、フランジ部２１の切欠２１ａに当接する位置に、突起部２５ｂを備え、さらに突起部２５ｂとは別の位置に、突起部２５ｃを備えている。
この突起部２５ｂおよび突起部２５ｃは、例えばケース２５の裏面からの半抜き加工により形成される。
【００２１】
本発明実施形態によるＦ型コネクタ２０は、以上のように構成されており、組立の際には、先づ係合部２４がケース２５の前面から取付孔２５ａ内に挿入される。この状態から、係合部２４は、その周縁の複数箇所にてケース２５の取付孔２５ａの周縁によりカシメ固定される。これにより、Ｆ型コネクタ２０はケース２５に対して固定保持されることになる。
【００２２】
ここで、Ｆ型コネクタ２０は、係合部２４がケース２５の取付孔２５ａ内に形状的に係合すると共に、フランジ部２１の切欠２１ａがケース２５の突起部２５ｂに係合すると共に、突起部２５ｃが切欠凹部２１ｂ内に係合保持されることにより、回転しないようになっている。
これにより、従来の係合部１４の形状的な係合のみによる回転止めに比較して、フランジ部２１の切欠２１ａによる回転止めと、加えて切欠凹部２１ｂによる回転止めが在ることから、回転に対する強度が向上することになり、Ｆ型コネクタ２０に対して不用意に回転力が作用したとしても、Ｆ型コネクタ２０は、確実に回転が阻止され得ることになる。
【００２３】
上記実施形態においては、フランジ部２１の切欠２１ａが上下に二箇所配されているが、何れか一方のみでも良く、切欠凹部２１ｂもまた、二箇所配されて良く、第一の実施形態の場合のように、切欠１１ａに代えて切欠凹部２１ｂのみによる場合でも良く、Ｆ型コネクタは、確実に回転が阻止され得ることになる。
【００２４】
尚、上記実施形態においては、外側端子１２は、その外周面にネジ山を備えているが、これに限らず、円筒状の外周面を備えていてもよい。この場合、Ｆ型プラグとしては、その内周面にネジ山を備えていても、備えていなくても、何れの場合もＦ型コネクタ１０に対して接続可能である。
また、上記実施形態においては、係合部１４，２４はケース１５，２５の取付孔１５ａ，２５ａに対してカシメ固定されるようになっているが、これに限らず、他の固定方法であってもよいことは明らかである。
さらに、上記実施形態においては、コネクタ１０は、Ｆ型コネクタとして構成され、一つの内側端子１３を有するように構成されているが、これに限らず、他の構成のコネクタ、例えば任意の本数の内側端子を備えたコネクタについて本発明を適用し得ることは明らかである。
【００２５】
【発明の効果】
以上述べたように、本発明によれば、実装すべきケース等に設けられた取付孔に係合部が挿入され、カシメ等により固定されることにより、本コネクタがケース等に対して固定保持されると共に、フランジ部がケース等の表面に当接して、上記取付孔の周囲を覆うことになる。
その際、フランジ部は、その一部に設けられた切欠に対して、ケース等の取付孔の周辺に設けられた突起部が当接することになる。これにより、フランジ部は、その切欠内に突起部が係合することにより、回転止めとして作用することになる。
これにより、本コネクタは、その係合部がケース等の取付孔内に形状的に係合することにより、且つフランジ部の切欠がケース等の取付孔の周辺に設けられた突起部と係合することにより、ケース等に対して回転しないように固定保持されることになる。
従って、本コネクタは、従来の係合部の形状的な係合のみによって回転しないように保持されている構成と比較して、より強固な回転止めが実現され得ることになり、不用意に大きな回転力がコネクタに対して加えられたとしても、コネクタがケース等に対して回転してしまうようなことがない。
【００２６】
かくして、本発明によれば、回転に対する強度が向上するようにした、極めて優れたコネクタが提供され得ることになる。
【図面の簡単な説明】
【図１】本発明によるコネクタの一実施形態の構成を示す概略斜視図である。
【図２】図１のコネクタの拡大斜視図である。
【図３】図１のコネクタの実装状態の一部切欠した側面図である。
【図４】本発明によるコネクタの第二の実施形態の構成を示す概略斜視図である。
【図５】図４のコネクタの実装状態の一部切欠した平面図である。
【図６】従来のＦ型コネクタの一例の構成を示す概略斜視図である。
【図７】図６のコネクタの実装状態の分解斜視図である。
【図８】図６のコネクタの実装状態の一部切欠した側面図である。
【図９】図６のコネクタの実装時のカシメ固定を示す概略斜視図である。
【符号の説明】
１０，２０      Ｆ型コネクタ
１１，２１      フランジ部（小判状）
１１ａ，２１ａ      切欠
１２      外側端子
１３      内側端子
１４，２４          係合部
１５，２５          ケース
１５ａ，１５ａ      取付孔
１５ｂ，２５ｂ，２５ｃ    突起部
【図１】
0003758368.tif 000002
【図２】
0003758368.tif 000003
【図３】
0003758368.tif 000004
【図４】
0003758368.tif 000005
【図５】
0003758368.tif 000006
【図６】
0003758368.tif 000007
【図７】
0003758368.tif 000008
【図８】
0003758368.tif 000009
【図９】
0003758368.tif 000010